(57)【特許請求の範囲】
【請求項１】
少なくとも２つのコードワードを送受信する基地局と端末とで構成された移動通信システムにおける伝送電力制御方法において、
前記基地局が、無線リソース制御（Ｒａｄｉｏ  Ｒｅｓｏｕｒｃｅ  Ｃｏｎｔｒｏｌ：ＲＲＣ）シグナリングを用いるパラメータのＫｓ値と前記コードワード別の電力制御パラメータを前記端末に伝送する過程と、
前記端末が、前記Ｋｓ値を確認し、前記確認されたＫｓ値により前記電力制御パラメータを用いて、利得を算出する過程と、
前記端末が、前記算出された利得により前記それぞれのコードワード別に伝送電力を算出する過程と、
前記端末が、前記算出された伝送電力で前記少なくとも２つのコードワードを前記基地局に伝送する過程と、
を含む伝送電力制御方法。
【請求項２】
前記Ｋｓは、０または１．２５と設定されることを特徴とする請求項１に記載の伝送電力制御方法。
【請求項３】
前記伝送電力算出過程は、
Ｋｓが０と設定される場合、少なくとも２つのコードワードに対するコードワード別の伝送電力の和が、単一のコードワードを用いた伝送電力と同一であることを特徴とする請求項２に記載の伝送電力制御方法。
【請求項４】
前記伝送電力算出過程は、
オフセットパラメータλを用いてコードワード別の伝送電力を調整する過程をさらに含むことを特徴とする請求項３に記載の伝送電力制御方法。
【請求項５】
前記伝送電力算出過程は、
前記コードワード別に異なるオフセットパラメータの
【数１】
0005522865.tif 000098
を用いて前記伝送電力制御によるセル干渉量を制御する過程をさらに含むことを特徴とする請求項３に記載の伝送電力制御方法。
【請求項６】
前記伝送電力算出過程は、
Ｋｓが１．２５と設定される場合、
前記少なくとも２つのコードワードの計算に用いられる伝送電力制御（Ｔｒａｎｓｍｉｔ  Ｐｏｗｅｒ  Ｃｏｎｔｒｏｌ、ＴＰＣ）を計算する過程と、
前記少なくとも２つのコードワードのそれぞれの変調およびコーディングスキーム（Ｍｏｄｕｌａｔｉｏｎ  ａｎｄ  Ｃｏｄｉｎｇ  Ｓｃｈｅｍｅ、ＭＣＳ）によりコードワード別の伝送電力を計算する過程と、
をさらに含むことを特徴とする請求項２に記載の伝送電力制御方法。
【請求項７】
前記基地局において、前記端末により伝送されたコードワード当たりの受信電力の強度を確認する過程と、
前記コードワード当たりの受信電力の強度に基づいてコードワード別の電力制御パラメータをアップデートする過程と、
をさらに含むことを特徴とする請求項１に記載の伝送電力制御方法。
【請求項８】
伝送電力制御システムにおいて、
上位階層シグナリングにより与えられるセル特定パラメータＫｓ値とコードワード別の電力制御パラメータを端末に伝送する基地局と、
前記セル特定パラメータＫｓ値を受信し、前記コードワード別の電力制御パラメータを用いて利得を算出し、前記算出された利得により前記それぞれのコードワード別に算出された伝送電力で前記少なくとも２つのコードワードを前記基地局に伝送する端末と、
を含む伝送電力制御システム。
【請求項９】
前記Ｋｓは、０または１．２５と設定されることを特徴とする請求項８に記載の伝送電力制御システム。
【請求項１０】
Ｋｓが０と設定される場合、前記端末は少なくとも２つのコードワードに対するコードワード別の伝送電力の和を、単一のコードワードを用いた伝送電力と同一に設定することを特徴とする請求項９に記載の伝送電力制御システム。
【請求項１１】
前記端末は、
オフセットパラメータλを用いてコードワード別の伝送電力を調整することを特徴とする請求項１０に記載の伝送電力制御システム。
【請求項１２】
前記端末は、
前記コードワード別に異なるオフセットパラメータの
【数２】
0005522865.tif 000099
を用いて前記伝送電力制御によるセル干渉量を制御することを特徴とする請求項１０に記載の伝送電力制御システム。
【請求項１３】
前記端末は、
Ｋｓが１．２５と設定される場合、
前記少なくとも２つのコードワードの計算に用いられる伝送電力制御（Ｔｒａｎｓｍｉｔ  Ｐｏｗｅｒ  Ｃｏｎｔｒｏｌ、ＴＰＣ）を計算し、前記少なくとも２つのコードワードのそれぞれの変調およびコーディングスキーム（Ｍｏｄｕｌａｔｉｏｎ  ａｎｄ  Ｃｏｄｉｎｇ  Ｓｃｈｅｍｅ、ＭＣＳ）によりコードワード別の伝送電力を計算することを特徴とする請求項９に記載の伝送電力制御システム。
【請求項１４】
前記基地局は、
端末により伝送されたコードワード当たりの受信電力の強度を確認し、前記コードワード当たりの受信電力の強度に基づいてコードワード別の電力制御パラメータをアップデートすることを特徴とする請求項９に記載の伝送電力制御システム。
【発明の詳細な説明】
【技術分野】
【０００１】
本発明は、ＬＴＥ−Ａｄｖａｎｃｅｄシステムにおけるアップリンク電力制御方法に関し、特に、多重入出力アンテナ（ＭＩＭＯ）で任意の端末に複数のコードワードが割り当てられる場合、各コードワード別に電力制御を行う方法と伝送電力調整オフセットパラメータを用いてコードワードの増加によるセル干渉量を調整する方法に関する。
【背景技術】
【０００２】
最近、移動通信システムでは、無線チャネルを利用した高速データの伝送に有用な方式として、直交周波数分割多重アクセス（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式、あるいはこれと似た方式として単一キャリア周波数分割多重アクセス（ＳＣ−ＦＤＭＡ：Ｓｉｎｇｌｅ  Ｃａｒｒｉｅｒ−Ｆｒｅｑｕｅｎｃｙ  ｄｉｖｉｓｉｏｎ  Ｍｕｌｔｉｐｌｅ  Ａｃｃｅｓｓ）方式が活発に研究されている。次世代移動通信システムのＬＴＥ（Ｌｏｎｇ  Ｔｅｒｍ  Ｅｖｏｌｕｔｉｏｎ）において前記ＯＦＤＭＡシステムは、ダウンリンクに適用され、前記ＳＣ−ＦＤＭＡシステムは、アップリンクに適用される。
【０００３】
しかし、ＯＦＤＭＡ方式は、ピーク対平均電力比（Ｐｅａｋ  ｔｏ  Ａｖｅｒａｇｅ  ＰｏｗｅＲ：ＰＡＰＲ）が大きく、信号の非線形歪みを防止するために電力増幅器入力信号のｂａｃｋ−ｏｆｆ値を大きくする。したがって、それだけ最大送信電力が制限され、電力効率が低いという短所がある。ここで、ｂａｃｋ−ｏｆｆは、送信信号の線形性を保障するために送信電力の最大値を電力増幅器の最大値よりも小さな値に制限することである。例えば、電力増幅器の最大値が２３ｄＢｍでｂａｃｋ−ｏｆｆが３ｄＢであると、送信電力の最大値は２０ｄＢｍに制限される。
【０００４】
ダウンリンクの多重化技術としてＯＦＤＭＡ方式を採択する場合、送信機は、電力の制限のない基地局に存在するため大きいな問題にならない。しかし、アップリンクの多重化技術としてＯＦＤＭＡ方式を採択する場合、送信機は電力の制限が大きいユーザ端末に存在するようになる。このような場合、端末の最大電力が制限されるため、基地局カバレッジが小さくなる問題が生じる。したがって、３ＧＰＰ標準の４世代移動通信技術のＬＴＥでは、代案として、アップリンクの多重化技術としてＳＣ−ＦＤＭＡが決定された。
【０００５】
最近の無線通信環境では、多様なマルチメディアサービスを提供するための無線通信技術が開発されており、高品質のマルチメディアサービスを提供するためには、高速のデータ伝送が要求される。したがって、最近、高速のデータ伝送をサポートするために多くの研究が行われており、代表としてＭＩＭＯ技術に関する研究が盛んに進められている。
【０００６】
ＭＩＭＯ技術は、複数のアンテナを用いることで、限定された周波数リソース中でチャネル容量を増加させる。ＭＩＭＯ技術は、散乱環境において複数のアンテナを用いることで、理論的にはアンテナの数に比例するチャネル容量を提供する。ＭＩＭＯ技術でデータを効率的に送信するためには、予めデータをコーディングする作業が必要であり、このような作業をプレコーディング（ｐｒｅｃｏｄｉｎｇ）という。また、データをプレコーディングする規則を行列で表現したものをプレコーディングマトリクス（ｐｒｅｃｏｄｉｎｇ  ｍａｔｒｉｘ）といい、プレコーディングマトリクスの集合をコードブックという。ＬＴＥ−Ａ（ＬＴＥ  Ａｄｖａｎｃｅｄ）において、プレコーディングマトリクスを用いた多重アンテナ技術（ＭＩＭＯ）は、単一ユーザ及び多重ユーザに対する性能向上を提供することができるアップリンクの主な技術として有力に提案されている。
【０００７】
ＬＴＥアップリンクＰＵＳＣＨチャネルのために、イベントベースの電力制御が用いられる。つまり、ＰＵＳＣＨチャネルでは周期的に伝送電力制御（ｔｒａｎｓｍｉｔ  ｐｏｗｅｒ  ｃｏｎｔｒｏｌ：ＴＰＣ）値を送信する必要がない。サブフレームｉで計算されたＰＵＳＣＨ伝送電力ＰＰＵＳＣＨ（ｉ）は、＜数学式１＞のように表される。
【０００８】
【数１】
0005522865.tif 000002
【０００９】
ここでＰＣＭＡＸは、端末のパワークラス（ｐｏｗｅｒ  ｃｌａｓｓ）による最大伝送電力を示す。ＭＰＵＳＣＨ（ｉ）は、サブフレームｉで割り当てられたＰＵＳＣＨリソースとしてのＲＢ（ｒｅｓｏｕｒｃｅ  ｂｌｏｃｋ：リソースブロック）の数で表される。また、端末の伝送電力は、ＭＰＵＳＣＨ（ｉ）に比例して増加する。ＰＬは、端末で測定されたダウンリンクパスロス（ｐａｔｈ−ｌｏｓｓ）を示す。スケーリング因子α（ｊ）は、セルの形状によるアップリンクチャネルとダウンリンクチャネルとの間のｐａｔｈ−ｌｏｓｓの不一致を考慮して上位レイヤで決定する。ＰＯ＿ＰＵＳＣＨは、＜数学式２＞のように分けて表現してもよい。
【００１０】
【数２】
0005522865.tif 000003
【００１１】
ここで
【数３】
0005522865.tif 000004
は、セルごとに異なる（ｃｅｌｌ−ｓｐｅｃｉｆｉｃ）パラメータであり、上位レイヤでシグナリングされる。
【数４】
0005522865.tif 000005
は、端末ごとに異なる（ＵＥ−ｓｐｅｃｉｆｉｃ）パラメータであり、無線リソース制御（Ｒａｄｉｏ  Ｒｅｓｏｕｒｃｅ  Ｃｏｎｔｒｏｌ：ＲＲＣ）シグナリングに伝送される。変調およびコーディングスキーム（ｍｏｄｕｌａｔｉｏｎ  ａｎｄ  ｃｏｄｉｎｇ  ｓｃｈｅｍｅ：ＭＣＳ）または伝送フォーマット（ｔｒａｎｓｐｏｒｔ  ｆｏｒｍａｔ：ＴＦ）補償パラメータのΔＴＦ（ｉ）は、＜数学式３＞のように定義される。
【００１２】
＜数学式３＞でＫｓは、セル特定パラメータであり、ＲＲＣシグナリングにより与えられる。
【００１３】
【数５】
0005522865.tif 000006
【００１４】
ＭＰＲ（ｉ）は、＜数学式４＞により算出される。
【００１５】
【数６】
0005522865.tif 000007
【００１６】
ＴＢＳ（ｉ）は、サブフレームｉにおけるｔｒａｎｓｐｏｒｔ  ｂｌｏｃｋの大きさを示す。＜数学式４＞で分母部分の
【数７】
0005522865.tif 000008
は、サブフレームにおけるＲＥ（ｒｅｓｏｕｒｃｅ  ｅｌｅｍｅｎｔ：リソースエレメント）の数を示す。すなわち、＜数学式４＞により算出されるＭＰＲ（ｉ）は、ＲＥ当たりに伝送される情報量（ｉｎｆｏｒｍａｔｉｏｎ  ｂｉｔｓ）を示す。また、Ｋｓ＝０の場合、ＭＰＲ（ｉ）＝０であり、ＭＣＳの補償は考慮されない。そしてＫｓ＝１．２５の場合、アップリンクチャネルの８０％
【数８】
0005522865.tif 000009
のみがＭＣＳに対して補償される。ＰＵＳＣＨ電力制御瞬時適応は、＜数学式５＞においてｆ（ｉ）で表される。
【００１７】
【数９】
0005522865.tif 000010
【００１８】
ここでδＰＵＳＣＨは、ＵＥ−ｓｐｅｃｉｆｉｃパラメータであり、基地局から端末に伝送されるＰＤＣＣＨに含まれ、ＴＰＣ値とも知られている。δＰＵＳＣＨ（ｉ−ＫＰＵＳＣＨ）においてＫＰＵＳＣＨは、実際にδＰＵＳＣＨ値を受信して端末の伝送サブフレームに適用するにかかる時間差を示す。ＰＤＣＣＨに伝送されるＤＣＩ  ｆｏｒｍａｔ  ０において、δＰＵＳＣＨｄＢの累積値（ａｃｃｕｍｕｌａｔｅｄ  ｖａｌｕｅｓ）は、［−１，０，１，３］である。さらに、ＰＤＣＣＨに伝送されるＤＣＩ  ｆｏｒｍａｔ  ３／３Ａにおいて、δＰＵＳＣＨｄＢの累積値は、［−１，１］または［−１，０，１，３］である。
【００１９】
＜数学式５＞におけるようなδＰＵＳＣＨ値を累積する方法の他にも、＜数学式６＞のように、δＰＵＳＣＨの絶対値が用いられることもある。この場合、ＰＤＣＣＨに伝送されるＤＣＩ  ｆｏｒｍａｔ  ０においてδＰＵＳＣＨの絶対値は、［−４，−１，１，４］である。
【００２０】
【数１０】
0005522865.tif 000011
【００２１】
図１は、従来のＬＴＥシステムにおける基地局による端末の電力制御過程を示す図である。
【００２２】
図１を参照すると、ステップ１０１で基地局は、電力制御パラメータを端末に伝送する際にＰＤＳＣＨチャネルを用いたＲＲＣシグナリングで行うかまたはＰＤＣＣＨチャネルを用いるかを決定する。
【００２３】
もし、ステップ１０１でＰＤＣＣＨチャネルに決定されると（例えばδＰＵＳＣＨ）、基地局はステップ１０２で、ＰＤＣＣＨチャネルを用いて電力制御パラメータを端末に伝送する。それに対し、ステップ１０１でＲＲＣシグナリングを用いるパラメータに決定されると（例えばＫｓ）、基地局はステップ１０３で、電力制御パラメータをＲＲＣ（Ｒａｄｉｏ  Ｒｅｓｏｕｒｃｅ  Ｃｏｎｔｒｏｌ：無線リソース制御）シグナリングを用いて端末に伝送する。また、ステップ１０４で基地局は、端末から伝送されたＳＲＳ（ｓｏｕｎｄｉｎｇ  ｒｅｆｅｒｅｎｃｅ  ｓｉｇｎａｌ）を用いて端末のＳＩＮＲを測定する。
【００２４】
次に、ステップ１０５で基地局は、端末から伝送された信号の受信の大きさと端末の信号が隣接セルに及ぼす干渉量を考慮して電力制御パラメータをアップデートする。アップデートされたパラメータは、ステップ１０１でどのチャネルで伝送されるかが決定され、端末に伝送される。
【００２５】
しかし、ＬＴＥ−ＡｄｖａｎｃｅｄシステムにおけるＰＵＳＣＨチャネル伝送には、ＭＩＭＯの使用により２つのコードワードが用いられる。したがって、従来に１本のアンテナと１つのコードワードのみを用いていたＬＴＥアップリンクにおける電力制御方法を用いるようになると、端末の過度な伝送電力によるセル干渉の増加または、端末の伝送電力不足の問題が生じることになる。
【発明の概要】
【発明が解決しようとする課題】
【００２６】
したがって、上述したような問題を解決するための本発明の目的は、ＬＴＥ−Ａｄｖａｎｃｅｄシステムにおいて、多重送信アンテナを用いる端末に複数のコードワードが割り当てられる場合、各コードワード別に電力制御を行う方法を提案することにある。また、複数のコードワードの使用により増加した伝送電力が過度なセル干渉を起こさないようにするために、伝送電力調整オフセットパラメータの使用を提案する。このオフセットパラメータは、各コードワードの伝送電力を増加させる目的で利用してもよい。
【課題を解決するための手段】
【００２７】
上記のような目的を達成するために、本発明の実施例に係る電力制御方法は、基地局が、無線リソース制御（Ｒａｄｉｏ  Ｒｅｓｏｕｒｃｅ  Ｃｏｎｔｒｏｌ：ＲＲＣ）シグナリングを用いるパラメータのＫｓ値と前記コードワード別の電力制御パラメータを前記端末に伝送する過程と、前記端末が、前記Ｋｓ値を確認し、前記確認されたＫｓ値により前記電力制御パラメータを用いて、利得を算出する過程と、前記端末が、前記算出された利得により前記それぞれのコードワード別に伝送電力を算出する過程と、前記端末が、前記算出された伝送電力で前記少なくとも２つのコードワードを前記基地局に伝送する過程とを含む。
【００２８】
上記のような目的を達成するために、本発明の実施例に係る電力制御システムは、無線リソース制御（Ｒａｄｉｏ  Ｒｅｓｏｕｒｃｅ  Ｃｏｎｔｒｏｌ：ＲＲＣ）シグナリングを用いるパラメータのＫｓ値とコードワード別の電力制御パラメータを端末に伝送する基地局と、前記Ｋｓ値を確認し、前記確認されたＫｓ値により前記電力制御パラメータを用いて、利得を算出し、前記算出された利得により前記それぞれのコードワード別に算出された伝送電力で前記少なくとも２つのコードワードを前記基地局に伝送する前記端末とを含む。
【発明の効果】
【００２９】
上述したように本発明は、ＬＴＥ−Ａｄｖａｎｃｅｄシステムにおける多重送信アンテナを用いる端末にコードワード別に電力制御を行うことにより、コードワードの増加による送信電力の過度な増加を防止することである。つまり、端末の送信電力を適宜調整することで、セル干渉量を適正に維持することができる。
【図面の簡単な説明】
【００３０】
【図１】従来のＬＴＥシステムにおける基地局による端末の電力制御過程を示す図である。
【図２】本発明の実施例に係る端末送信機の概略的な構造を説明するための図である。
【図３】本発明の第１実施例に係る端末の電力制御パラメータ値の取得手続と、その値を用いて送信電力を求める過程を示す図である。
【図４】本発明の第１実施例に係るＬＴＥ−Ａシステムにおける基地局による端末の電力制御過程を示す図である。
【図５】本発明の第２実施例に係る端末の電力制御パラメータ値の取得手続と、その値を用いて送信電力を求める過程を示す図である。
【図６】本発明の第２実施例に係るＬＴＥ−Ａシステムにおける基地局による端末の電力制御過程を示す図である。
【図７】本発明の第３実施例に係る端末の電力制御パラメータ値の取得手続と、その値を用いて送信電力を求める過程を示す図である。
【図８】本発明の第５実施例に係る端末の電力制御パラメータ値の取得手続と、その値を用いて送信電力を求める過程を示す図である。
【図９】本発明の第６実施例に係る端末の電力制御パラメータ値の取得手続と、その値を用いて送信電力を求める過程を示す図である。
【図１０】本発明の第７実施例に係る端末の電力制御パラメータ値の取得手続と、その値を用いて送信電力を求める過程を示す図である。
【図１１】本発明の第９実施例に係る端末の電力制御パラメータ値の取得手続と、その値を用いて送信電力を求める過程を示す図である。
【図１２】本発明の第１０実施例に係る端末の電力制御パラメータ値の取得手続と、その値を用いて送信電力を求める過程を示す図である。
【図１３】本発明の第１１実施例に係る端末の電力制御パラメータ値の取得手続と、その値を用いて送信電力を求める過程を示す図である。
【図１４】本発明の実施例に係るＭＵ−ＭＩＭＯで端末に割り当てられるレイヤ別の伝送電力を示す図である。
【図１５】本発明の他の実施例に係るＭＵ−ＭＩＭＯで端末に割り当てられるレイヤ別の伝送電力を示す図である。
【発明を実施するための形態】
【００３１】
以下、本発明の実施例を添付の数式および図面と共に詳細に説明する。また、本発明を説明するにおいて、関連した公知の機能あるいは構成に対する具体的な説明が本発明の要旨を不要に曖昧にすると判断された場合、その詳細な説明は省略する。また、後述される用語は、本発明での機能を考慮して定義された用語であり、これは、ユーザ、運用者の意図または、慣例などによって変わることがある。したがって、その用語は本明細書全般に亘る内容に基づいて定義しなければならない。
【００３２】
さらに、本発明の実施例を具体的に説明するにおいて、ＯＦＤＭベースの無線通信システム、特に３ＧＰＰ  ＥＵＴＲＡ（あるいはＬＴＥと称する）、あるいはＡｄｖａｎｃｅｄ  Ｅ−ＵＴＲＡ（あるいはＬＴＥ−Ａと称する）標準を主な対象とするが、本発明の主要要旨は、類似した技術的背景及びチャネル形態を有するその他の通信システムにも、本発明の範囲から大きく逸脱しない範囲で若干の変形で適用可能であり、これは本発明の技術分野における熟練した技術的知識を有する者の判断で可能であるだろう。
【００３３】
本発明は、ＬＴＥ−Ａｄｖａｎｃｅｄシステムにおける多重アンテナを用いる端末が、ＰＵＳＣＨチャネルの伝送のために２つのコードワード（ｃｏｄｅｗｏｒｄ）ＣＷ＃１とＣＷ＃２を用いる場合、それぞれのコードワードに対してアップリンクの電力制御をしようとするものである。
【００３４】
基地局から端末に、２つのコードワードＣＷ＃１とＣＷ＃２に対するアップリンクの電力制御に関するパラメータと伝送ブロックサイズ（Ｔｒａｎｓｐｏｒｔ  Ｂｌｏｃｋ  Ｓｉｚｅ：ＴＢＳ）情報とＫｓ値とが送られる。この際、Ｋｓ＝１．２５の場合とＫｓ＝０の場合とにより、ＣＷ＃１とＣＷ＃２に対する伝送電力制御方法を異なるようにする。つまり、後述する様々な実施例においてＫｓ＝０の場合とＫｓ＝１．２５の場合に、全伝送電力に関する選択的組み合わせが可能である。
【００３５】
Ｋｓ＝１．２５の場合に端末の送信機と基地局で電力制御を行う方法を、実施例１、２、３、４によって詳細に説明する。
【００３６】
＜実施例１＞
基地局から送信された電力制御パラメータを用いてＣＷ＃１とＣＷ＃２に対する伝送電力制御を行う端末送信機の構造について、図２を参照して説明する。
【００３７】
図２は、本発明の実施例に係る端末送信機の概略的な構造を説明するための図である。
【００３８】
図２を参照すると、コードワードＣＷ＃１  ２０１とＣＷ＃２  ２０２は、それぞれ利得
【数１１】
0005522865.tif 000012
が掛けられた後、ＣＷ  ｔｏ  Ｌａｙｅｒ  Ｍａｐｐｅｒ（コードワード／レイヤマッパー）２０５によりＣＷ＃１  ２０１とＣＷ＃２  ２０２は別々のレイヤにマッピングなる。そして、レイヤにマッピングされたＣＷ＃１  ２０１とＣＷ＃２  ２０２は、Ｌａｙｅｒ  ｔｏ  Ａｎｔｅｎｎａ  Ｍａｐｐｅｒ（レイヤ／アンテナマッパー）２０６により再びアンテナにマッピングされる。
【００３９】
図２で、各アンテナの電力増幅回路（ｐｏｗｅｒ  ａｍｐｌｉｆｉｅｒ：ＰＡ）に掛けられる値をＫとした場合、Ｋは
【数１２】
0005522865.tif 000013
で表され、ここでＰｔｏｔａｌは端末の全伝送電力を示し、Ｎはアンテナの数を示す。図１で、
【数１３】
0005522865.tif 000014
を用いてＣＷ＃１  ２０１とＣＷ＃２  ２０２の送信電力を調整してもよい。
【００４０】
図３は、本発明の第１実施例に係る端末の電力制御パラメータ値の取得手続と、その値を用いて送信電力を求める過程を示す図である。
【００４１】
図３を参照すると、ステップ３０１で端末は基地局からＫｓ＝１．２５の値を受信する。ステップ３０２で、Ｋｓ＝１．２５の場合、端末は基地局から受信したＣＷ＃１  ２０１とＣＷ＃２  ２０２のそれぞれのＴＢＳ情報を用いて＜数学式７＞のようにΔＴＦ（ｉ，ＣＷ＃１）とΔＴＦ（ｉ，ＣＷ＃２）とを求める。
【００４２】
【数１４】
0005522865.tif 000015
【００４３】
ステップ３０３で端末は、基地局から伝送された電力制御パラメータ
【数１５】
0005522865.tif 000016
、端末で測定したＰＬ、及びΔＴＦ（ｉ，ＣＷ＃１）とΔＴＦ（ｉ，ＣＷ＃２）を用いて、＜数学式８＞のようにＣＷ＃１  ２０１とＣＷ＃２  ２０２のそれぞれの送信電力を求める。
【００４４】
【数１６】
0005522865.tif 000017
【００４５】
ここで、＜数学式８＞でＣＷ＃１の送信電力
【数１７】
0005522865.tif 000018
は、＜数学式１＞に基づいてＣＷ＃１に対する最大伝送電力ＰＣＭＡＸ（ＣＷ＃１）と比較して、両値のうち最小値を伝送してもよい。また、＜数学式８＞でＣＷ＃２の送信電力
【数１８】
0005522865.tif 000019
は、＜数学式１＞に基づいてＣＷ＃２に対する最大伝送電力ＰＣＭＡＸ（ＣＷ＃２）と比較して、両値のうち最小値を伝送してもよい。ここでＰＣＭＡＸは、端末のｐｏｗｅｒ  ｃｌａｓｓによる最大伝送電力を示す。
【００４６】
次に、ステップ３０３で端末の全伝送電力は、＜数学式９＞を用いて算出される。
【００４７】
【数１９】
0005522865.tif 000020
【００４８】
ここで、＜数学式９＞で送信電力
【数２０】
0005522865.tif 000021
は、＜数学式１＞に基づいて端末のＣｌａｓｓによる最大伝送電力ＰＣＭＡＸと比較して、両値のうち最小値を伝送する。
【００４９】
このようにコードワード別の送信電力と端末の全伝送電力が伝送される方法は、本発明のすべての実施例に適用され得る。換言すれば、本発明のすべての実施例においてＣＷ＃１の送信電力
【数２１】
0005522865.tif 000022
は、＜数学式１＞に基づいてＣＷ＃１に対する最大伝送電力ＰＣＭＡＸ（ＣＷ＃１）と比較して、両値のうち最小値を伝送してもよい。また、ＣＷ＃２の送信電力
【数２２】
0005522865.tif 000023
は、＜数学式１＞に基づいてＣＷ＃２に対する最大伝送電力ＰＣＭＡＸ（ＣＷ＃２）と比較して、両値のうち最小値を伝送してもよい。さらに、送信電力
【数２３】
0005522865.tif 000024
は、＜数学式１＞に基づいて最大伝送電力ＰＣＭＡＸと比較して、両値のうち最小値を伝送する。
【００５０】
なお、ＣＷ＃１  ２０１とＣＷ＃２  ２０２に対する伝送電力と端末の全伝送電力は、＜数学式１０＞のように表現してもよい。
【００５１】
【数２４】
0005522865.tif 000025
【００５２】
図２で示された各アンテナから同一の電力が出力される。ＣＷ＃１  ２０１とＣＷ＃２  ２０２の伝送電力を異なるように調整するために、ＣＷ＃１とＣＷ＃２信号に異なる利得を掛ける。つまり、図２でＣＷ＃１  ２０１には利得
【数２５】
0005522865.tif 000026
を掛け、ＣＷ＃２  ２０２には利得
【数２６】
0005522865.tif 000027
を掛ける。ステップ３０４で、
【数２７】
0005522865.tif 000028
を誘導するために＜数学式１１＞を用いる。
【００５３】
【数２８】
0005522865.tif 000029
【００５４】
＜数学式１１＞でＰ１＋Ｐ２＝２と定義したのは、伝送されるコードワードが２つになれば、端末の伝送電力の和もコードワードが１つであるときより２倍に増加するということを意味する。しかし、もし伝送されるコードワードが２つであっても伝送電力の和を１つのコードワードを伝送するときと同一にしたい場合は、端末はＰ１＋Ｐ２＝２をＰ１＋Ｐ２＝１と定義する。また、端末は定義されたＰ１＋Ｐ２＝１で
【数２９】
0005522865.tif 000030
を誘導してもよい。ステップ３０５で＜数学式１１＞を用いて
【数３０】
0005522865.tif 000031
が誘導されれば、端末はＣＷ＃１  ２０１とＣＷ＃２  ２０２に各々掛ける。
【００５５】
また、図２で説明したように、各アンテナのＰＡ（ｐｏｗｅｒ  ａｍｐｌｉｆｉｅｒ）に掛けられる値をＫとした場合、
【数３１】
0005522865.tif 000032
で表され、ここでＮは、アンテナの数を示す。図２では４本のアンテナ２１５，２１６，２１７，２１８を例として挙げた。
【００５６】
次に、ＣＷ＃１  ２０１とＣＷ＃２  ２０２が用いられる場合、基地局における電力制御動作を図４を参照して説明する。
【００５７】
図４は、本発明の第１実施例に係るＬＴＥ−Ａシステムにおける基地局による端末の電力制御過程を示す図である。
【００５８】
図４を参照すると、ステップ４０１で基地局は、端末にＣＷ＃１  ２０１とＣＷ＃２  ２０２に対する電力制御パラメータを伝送するために、ＰＤＳＣＨチャネルを用いたＲＲＣシグナリングで行うかまたはＰＤＣＣＨチャネルを用いるかを決定する。ステップ４０１でＰＤＣＣＨチャネルを用いるパラメータに決定されると（例えばδＰＵＳＣＨ）、ステップ４０２で基地局は、電力制御パラメータをＰＤＣＣＨチャネルを用いて端末に伝送する。しかし、ステップ４０１でＲＲＣシグナリングを用いるパラメータに決定されると（例えばＫｓ）、ステップ４０３で基地局は、電力制御パラメータをＲＲＣシグナリングを用いて端末に伝送する。
【００５９】
ステップ４０４で基地局は、端末から伝送されたＳＲＳ（ｓｏｕｎｄｉｎｇ  ｒｅｆｅｒｅｎｃｅ  ｓｉｇｎａｌ）を用いてＣＷ＃１  ２０１とＣＷ＃２  ２０２に対する受信電力を測定する。そして、ステップ４０５で基地局は、端末から伝送された信号の受信電力の大きさと端末の信号が隣接セルに及ぼす干渉量を考慮してＣＷ＃１  ２０１とＣＷ＃２  ２０２に対する電力制御パラメータをアップデートする。アップデートされたパラメータは、ステップ４０１に移動して端末に伝送される。
【００６０】
＜実施例２＞
ここでＫｓ＝１．２５の場合に、ＣＷ＃１とＣＷ＃２の使用による伝送電力の増加で、隣接セルに干渉が発生する。発生する干渉の量を調節するために、２つのコードワードに共通適用されるオフセットパラメータ（ｏｆｆｓｅｔ  ｐａｒａｍｅｔｅｒ）のλを用いて伝送電力を低める方法を提案する。λはまた、端末の送信電力の量を増加させるために用いてもよい。
【００６１】
図５は、本発明の第２実施例に係る端末の電力制御パラメータ値の取得手続と、その値を用いて送信電力を求める過程を示す図である。
【００６２】
図５を参照すると、ステップ５０１、５０２、５０３、５０４は、実施例１のための図３におけるステップ３０１、３０２、３０３、３０４と同一である。次に、ステップ３０５で、端末は＜数学式１２＞のようにλを用いて全送信電力
【数３２】
0005522865.tif 000033
を再び調整する。
【００６３】
【数３３】
0005522865.tif 000034
【００６４】
さらに詳しく説明すると、ステップ５０４で＜数学式１１＞を用いて
【数３４】
0005522865.tif 000035
が誘導されると、端末はステップ３０５で＜数学式１２＞のようにλを用いて全送信電力
【数３５】
0005522865.tif 000036
を再び調整する。そして、端末はステップ５０６で、誘導された
【数３６】
0005522865.tif 000037
をＣＷ＃１  ２０１とＣＷ＃２  ２０２にそれぞれ掛ける。図２で説明したように、各アンテナのＰＡ（ｐｏｗｅｒ  ａｍｐｌｉｆｉｅｒ）に掛けられる値をＫとした場合、
【数３７】
0005522865.tif 000038
で表される。
【００６５】
ＣＷ＃１  ２０１とＣＷ＃２  ２０２が用いられる場合に基地局で電力制御を行う過程について、図６を参照して説明する。
【００６６】
図６は、本発明の第２実施例に係るＬＴＥ−Ａシステムにおける基地局による端末の電力制御過程を示す図である。
【００６７】
図６を参照すると、ステップ６０１で基地局は、端末にＣＷ＃１  ２０１とＣＷ＃２  ２０２に対する電力制御パラメータを伝送するために、ＰＤＳＣＨチャネルを用いたＲＲＣシグナリングで行うかまたはＰＤＣＣＨチャネルを用いるかを決定する。
【００６８】
ステップ６０１でＰＤＣＣＨチャネルを用いるパラメータに決定されると（例えばδＰＵＳＣＨ）、ステップ６０２でδＰＵＳＣＨ値が、ＰＤＣＣＨチャネルを用いて基地局から端末に伝送される。しかし、ステップ６０１でＲＲＣシグナリングを用いるパラメータに決定されると、ステップ６０３でλ値が基地局から端末にＲＲＣシグナリングにより伝送される。つまり、λはｓｅｍｉ−ｓｔａｔｉｃに変化するのに対し、δＰＵＳＣＨは、ダイナミックな変化を有する。
【００６９】
以下、ステップ６０４ないし６０５は、図４のステップ４０４ないし４０５と同一の過程を行うため、詳細な説明は省略する。
【００７０】
＜実施例３＞
次に、Ｋｓ＝１．２５の場合にＣＷ＃１  ２０１とＣＷ＃２  ２０２の使用によるセル干渉量を調節するために、ＣＷ＃１  ２０１とＣＷ＃２  ２０２の各々に別々のオフセットパラメータ（ｏｆｆｓｅｔ  ｐａｒａｍｅｔｅｒｓ）
【数３８】
0005522865.tif 000039
を用いる方法を提案する。
【００７１】
図７は、本発明の第３実施例に係る端末の電力制御パラメータ値の取得手続と、その値を用いて送信電力を求める過程を示す図である。
【００７２】
図７でステップ７０１、７０２、７０３は、実施例１のための図３におけるステップ３０１、３０２、３０３と同一である。しかし、図３のステップ３０３で端末の全伝送電力を求める演算は、図７ではステップ７０３でなくステップ７０５で行われる。
【００７３】
すなわち、基地局は、ステップ７０３でＣＷ＃１  ２０１とＣＷ＃２  ２０２に対するそれぞれの送信電力を誘導する。そして、基地局は、ステップ７０４で、セル干渉を減らすために＜数学式１３＞でのように
【数３９】
0005522865.tif 000040
を用いてＣＷ＃１  ２０１とＣＷ＃２  ２０２に対する送信電力を減少させる。ここで
【数４０】
0005522865.tif 000041
は、ＣＷ＃１  ２０１とＣＷ＃２  ２０２の送信電力の量を増加させるために用いられてもよい。
【００７４】
【数４１】
0005522865.tif 000042
【００７５】
また、ステップ７０５、７０６は、図３のステップ３０４、３０５と同一の過程を行うため、詳細な説明は省略する。
【００７６】
＜実施例４＞
Ｋｓ＝１．２５の場合、ＣＷ＃１とＣＷ＃２の使用によるセル干渉量を調節するために、ＣＷの数が２つである場合のＴＰＣ（Ｔｒａｎｓｍｉｔ  Ｐｏｗｅｒ  Ｃｏｎｔｒｏｌ）パラメータのδＰＵＳＣＨ値の範囲を調節する方法を提案する。
【００７７】
例えば、現在のＬＴＥ標準では、アップリンクＰＵＳＣＨチャネルで１つのＣＷのみが用いられており、累積されたδＰＵＳＣＨ値（ａｃｃｕｍｕｌａｔｅｄ δＰＵＳＣＨ値）は｛−１，０，＋１，＋３｝［ｄＢｍ］と定義されている。２つのＣＷが用いられる場合、送信電力の増加によってセル干渉は過度に増加することになり、これを減少させるために、累積されたδＰＵＳＣＨ値（ａｃｃｕｍｕｌａｔｅｄ δＰＵＳＣＨ値）を｛−１，０，＋１，＋３｝［ｄＢｍ］と再定義してもよい。
【００７８】
つまり、新しく定義された累積されたδＰＵＳＣＨ値（ａｃｃｕｍｕｌａｔｅｄ δＰＵＳＣＨ値）の−３を利用することにより、干渉量を少し速く減少させることができる。このような理由で、２つのＣＷが用いられる場合、累積されたδＰＵＳＣＨ値（ａｃｃｕｍｕｌａｔｅｄ δＰＵＳＣＨ値）を｛−６，−３，０，＋３｝［ｄＢｍ］とも再定義してもよい。
【００７９】
Ｋｓ＝０の場合に対する電力制御方法について、実施例５、６、７、８によって説明する。
【００８０】
＜実施例５＞
図８は、本発明の第５実施例に係る端末の電力制御パラメータ値の取得手続と、その値を用いて送信電力を求める過程を示す図である。
【００８１】
図８を参照すると、図８のステップ８０１、８０２で、Ｋｓ＝０の場合に＜数学式７＞を用いて端末は基地局から受信したＣＷ＃１  ２０１とＣＷ＃２  ２０２の各々に対しΔＴＦ（ＣＷ＃１）＝０，ΔＴＦ（ＣＷ＃２）＝０を得る。
【００８２】
ステップ８０３で端末は、基地局から伝送された電力制御パラメータ
【数４２】
0005522865.tif 000043
と端末で測定したＰＬとを用いて＜数学式８＞によりＣＷ＃１  ２０１とＣＷ＃２  ２０２のそれぞれの送信電力を求める。
【００８３】
実施例５では、ＣＷ＃１  ２０１とＣＷ＃２  ２０２の送信電力の大きさは同じである。また、ステップ８０３で端末の全伝送電力は、＜数学式９＞のように表される。
【００８４】
また、ＣＷ＃１  ２０１とＣＷ＃２  ２０２に対する伝送電力と端末の全伝送電力は、＜数学式１０＞のように表されてもよい。
【００８５】
図２で各アンテナから同一の電力が出力されるため、ＣＷ＃１  ２０１とＣＷ＃２  ２０２の伝送電力を異なるように調整するために、端末はＣＷ＃１  ２０１とＣＷ＃２  ２０２信号に異なる利得を掛ける。つまり、図２でＣＷ＃１  ２０１には利得
【数４３】
0005522865.tif 000044
を掛け、ＣＷ＃２  ２０２には利得
【数４４】
0005522865.tif 000045
を掛ける。
【００８６】
また、端末は、＜数学式１１＞で伝送電力の和を、コードワード１つのときのようにＰ１＋Ｐ２＝１と定義し、
【数４５】
0005522865.tif 000046
を誘導することもできる。なぜなら、Ｋｓ＝０の場合は、ＣＷ＃１  ２０１とＣＷ＃２  ２０２のそれぞれの伝送電力の増加の代わりに１つのコードワードを使用するときのような伝送電力を作るためである。換言すると、実施例５で端末はｐ１＝０．５であり、ｐ２＝０．５で電力を割り当てることができる。したがって、Ｋｓ＝０の場合、２つのＣＷ＃１とＣＷ＃２が伝送されても１つのコードワードを用いるときのような伝送電力を作るために、＜数学式１４＞により最終的に２つのＣＷ＃１とＣＷ＃２の伝送電力を同一に算出してもよい。また、該当端末の全伝送電力は、＜数学式１５＞のように表され得るため、２つのＣＷ＃１とＣＷ＃２の伝送電力の和は、１つのコードワードを伝送するときのように、＜数学式１６＞のように最終的に表される。
【００８７】
【数４６】
0005522865.tif 000047
【００８８】
【数４７】
0005522865.tif 000048
【００８９】
【数４８】
0005522865.tif 000049
【００９０】
【数４９】
0005522865.tif 000050
【００９１】
【数５０】
0005522865.tif 000051
【００９２】
＜数学式１７＞は、ＣＷ＃１とＣＷ＃２のそれぞれの最終伝送電力を［ｄＢｍ］で表現する。そして＜数学式１８＞は、＜数学式１６＞と＜数学式１７＞の別の表現である。このように本発明の実施例において、ＣＷ＃１とＣＷ＃２の伝送電力に関してＰ１とＰ２の値の代わりに、最終的な伝送電力の数式で表現してもよい。
【００９３】
しかし、ステップ８０４で
【数５１】
0005522865.tif 000052
を誘導するために、端末は＜数学式１１＞を用いてＰ１＋Ｐ２＝２と定義してもよい。これは、伝送されるコードワードが２つになると、伝送電力の和もコードワードが１つであるときより２倍に増加するということを意味する。
【００９４】
ステップ８０５で
【数５２】
0005522865.tif 000053
が誘導されると、図１のようにＣＷ＃１  ２０１とＣＷ＃２  ２０２に各々掛ける。図２で説明したように、各アンテナのＰＡ（ｐｏｗｅｒ  ａｍｐｌｉｆｉｅｒ）に掛けられる値をＫとした場合、
【数５３】
0005522865.tif 000054
で表され、ここでＮはアンテナの数を示す。
【００９５】
＜実施例６＞
図９は、本発明の第６実施例に係る端末の電力制御パラメータ値の取得手続と、その値を用いて送信電力を求める過程を示す図である。
【００９６】
Ｋｓ＝０の場合にも、２つのＣＷによる端末の送信電力によってセル干渉の大きさが変わる。このような干渉量を調節するために、コードワードにすべて共通適用されるオフセットパラメータ（ｏｆｆｓｅｔ  ｐａｒａｍｅｔｅｒ）のλの利用を提案する。λはまた、端末の送信電力の量を増加させるために用いられてもよい。
【００９７】
図９でステップ９０１、９０２、９０３、９０４は、実施例５のための図８におけるステップ８０１、８０２、８０３、８０４と同一である。しかし、図９の９０５では、端末は＜数学式１２＞のようにλを用いて全送信電力
【数５４】
0005522865.tif 000055
を再び調整する。
【００９８】
そして端末は、ステップ９０６で
【数５５】
0005522865.tif 000056
が誘導されると、ＣＷ＃１  ２０１とＣＷ＃２  ２０２に各々掛ける。ここで、図２で説明したように各アンテナのＰＡ（ｐｏｗｅｒ  ａｍｐｌｉｆｉｅｒ）に掛けられる値をＫとした場合、
【数５６】
0005522865.tif 000057
で表される。
【００９９】
＜実施例７＞
図１０は、本発明の第７実施例に係る端末の電力制御パラメータ値の取得手続と、その値を用いて送信電力を求める過程を示す図である。
【０１００】
Ｋｓ＝０の場合、ＣＷ＃１  ２０１とＣＷ＃２  ２０２の使用によるセル干渉量を調節するために、ＣＷ＃１  ２０１とＣＷ＃２  ２０２の各々にオフセットパラメータ（ｏｆｆｓｅｔ  ｐａｒａｍｅｔｅｒｓ）
【数５７】
0005522865.tif 000058
を用いることを提案する。
【０１０１】
図１０でステップ１００１、１００２、１００３は、図９におけるステップ９０１、９０２、９０３と同一である。ただし、端末は、ステップ１００４では
【数５８】
0005522865.tif 000059
を用いて＜数学式１９＞で見られるようにＣＷ＃１  ２０１とＣＷ＃２  ２０２に対する送信電力を調整する。
【０１０２】
【数５９】
0005522865.tif 000060
【０１０３】
次に、図１０のステップ１００５、１００６は、図８におけるステップ８０４、８０５と同一である。
【０１０４】
＜実施例８＞
Ｋｓ＝０の場合、ＣＷ＃１  ２０１とＣＷ＃２  ２０２の使用によるセル干渉量を調節するために、ＣＷの数が２つである場合にＴＰＣパラメータのδＰＵＳＣＨ値（ＴＰＣ  ｐａｒａｍｅｔｅｒ δＰＵＳＣＨ値）の範囲を調節する方法を提案する。
【０１０５】
例えば、現在のＬＴＥ標準では、アップリンクＰＵＳＣＨチャネルで１つのＣＷのみが用いられており、累積されたδＰＵＳＣＨ値（ａｃｃｕｍｕｌａｔｅｄ δＰＵＳＣＨ値）は｛−１，０，＋１，＋３｝［ｄＢｍ］と定義されている。２つのＣＷが用いられる場合、送信電力の増加によってセル干渉は過度に増加することになり、これを減少させるために、累積されたδＰＵＳＣＨ値（ａｃｃｕｍｕｌａｔｅｄ δＰＵＳＣＨ値）を｛−１，０，＋１，＋３｝［ｄＢｍ］と再定義してもよい。
【０１０６】
つまり、新しく定義された累積されたδＰＵＳＣＨ値（ａｃｃｕｍｕｌａｔｅｄ δＰＵＳＣＨ値）の−３を利用することにより、干渉量を少し速く減少させることができる。このような理由で、２つのＣＷが用いられる場合、累積されたδＰＵＳＣＨ値（ａｃｃｕｍｕｌａｔｅｄ δＰＵＳＣＨ値）を｛−１，０，＋１，＋３｝［ｄＢｍ］とも再定義してもよい。
【０１０７】
実施例１、２、３、４においては、Ｋｓ＝１．２５の場合、ＣＷ＃１  ２０１とＣＷ＃２  ２０２に対してそれぞれのΔＴＦ（ＣＷ＃１）とΔＴＦ（ＣＷ＃２）を求めた。下記の実施例９、１０、１１、１２においては、ＣＷ＃１  ２０１とＣＷ＃２  ２０２に対して共通のΔＴＦを求める方法と、これを用いた電力制御方法を提案する。
【０１０８】
＜実施例９＞
ＣＷ＃１とＣＷ＃２に対して共通のΔＴＦを求めるための４種の方法を図１１を参照して説明する。
【０１０９】
図１１は、本発明の第９実施例に係る端末の電力制御パラメータ値の取得手続と、その値を用いて送信電力を求める過程を示す図である。
【０１１０】
図１１を参照すると、ステップ１１０１で端末は、基地局からＫｓ＝１．２５の値を受信する。そして端末は、ステップ１１０２でΔＴＦを算出する。ここで、ステップ１１０２でＣＷ＃１  ２０１とＣＷ＃２  ２０２に対し共通のΔＴＦを求めるための４種の方法を提案する。
【０１１１】
＜数学式２０＞は、ＣＷ＃１とＣＷ＃２の最大値を用いてΔＴＦを算出する第１の方法である。
【０１１２】
【数６０】
0005522865.tif 000061
【０１１３】
＜数学式２１＞は、ＣＷ＃１とＣＷ＃２の最小値を用いてΔＴＦを算出する第２の方法である。
【０１１４】
【数６１】
0005522865.tif 000062
【０１１５】
＜数学式２２＞は、ＣＷ＃１とＣＷ＃２の平均値を用いてΔＴＦを算出する第３の方法である。
【０１１６】
【数６２】
0005522865.tif 000063
【０１１７】
＜数学式２３＞は、ＣＷ＃１とＣＷ＃２の和を用いてΔＴＦを算出する第４の方法である。
【０１１８】
【数６３】
0005522865.tif 000064
【０１１９】
上記で提示した４種の方法のいずれか１つの方法によりΔＴＦを算出した端末は、ステップ１１０３で＜数学式２４＞を用いてＣＷ＃１  ２０１とＣＷ＃２  ２０２のためのそれぞれの送信電力を求める。このとき、ステップ１１０３でＣＷ＃１  ２０１とＣＷ＃２  ２０２にΔＴＦが共通で用いられる。
【０１２０】
【数６４】
0005522865.tif 000065
【０１２１】
以後、図１１でステップ１１０４、１１０５は、図１０で説明したステップ１００５、１００６と同一である。
【０１２２】
＜実施例１０＞
Ｋｓ＝１．２５の場合、２つのＣＷによる端末の送信電力によってセル干渉の大きさが変わる。このような干渉の量を調節するために、コードワードにすべて共通適用されるオフセットパラメータ（ｏｆｆｓｅｔ  ｐａｒａｍｅｔｅｒ）のλを用いる。λはまた、端末の送信電力の量を増加させるために用いられてもよい。λを用いて送信電力の量を増加させる方法について、図１２を参照して説明する。
【０１２３】
図１２は、本発明の第１０実施例に係る端末の電力制御パラメータ値の取得手続と、その値を用いて送信電力を求める過程を示す図である。
【０１２４】
図１２でステップ１２０１、１２０２、１２０３、１２０４は、実施例９のための図１１におけるステップ１１０１、１１０２、１１０３、１１０４と同一である。しかし、実施例１０のステップ１２０５で端末は、＜数学式１２＞を用い、λを用いて全送信電力
【数６５】
0005522865.tif 000066
を再び調整する。ステップ１２０６で
【数６６】
0005522865.tif 000067
が誘導されると、ＣＷ＃１  ２０１とＣＷ＃２  ２０２にそれぞれ掛ける。図２で説明したように、各アンテナのＰＡ（ｐｏｗｅｒ  ａｍｐｌｉｆｉｅｒ）に掛けられる値をＫとした場合、
【数６７】
0005522865.tif 000068
で表される。
【０１２５】
＜実施例１１＞
Ｋｓ＝１．２５の場合、ＣＷ＃１とＣＷ＃２の使用によるセル干渉量を調節するために、ＣＷ＃１とＣＷ＃２の各々にオフセットパラメータ（ｏｆｆｓｅｔ  ｐａｒａｍｅｔｅｒｓ）の
【数６８】
0005522865.tif 000069
とを用いる方法を図１３を参照して詳細に説明する。
【０１２６】
図１３は、本発明の第１１実施例に係る端末の電力制御パラメータ値の取得手続と、その値を用いて送信電力を求める過程を示す図である。
【０１２７】
図１３でステップ１３０１、１３０２、１３０３は、実施例９のための図１１におけるステップ１１０１、１１０２、１１０３と同一である。しかし、ステップ１３０３で端末は、ＣＷ＃１  ２０１とＣＷ＃２  ２０２に対する共通の送信電力を誘導する。そして端末は、ステップ１３０４でセル干渉を減らすために、＜数学式２５＞でのように
【数６９】
0005522865.tif 000070
を用いてＣＷ＃１  ２０１とＣＷ＃２  ２０２に対する送信電力を調整する。
【数７０】
0005522865.tif 000071
は、ＣＷ＃１  ２０１とＣＷ＃２  ２０２の送信電力の量を増加させるために用いられてもよい。
【０１２８】
【数７１】
0005522865.tif 000072
【０１２９】
以後、図１３のステップ１３０５、１３０６は、図１１のステップ１１０４、１１０５と同一であるため、詳細な説明は省略する。
【０１３０】
＜実施例１２＞
基地局から送信された電力制御パラメータを用いて端末がＣＷ＃１とＣＷ＃２に対する伝送電力制御を行うための他の方法を提案する。
【０１３１】
端末は、数学式２６によって基地局から送信された電力制御パラメータを用いて伝送電力を制御してもよい。
【０１３２】
【数７２】
0005522865.tif 000073
【０１３３】
＜数学式２６＞でＰＰＵＳＣＨ（ｉ，Ｎ）は、端末の全伝送電力を示し、Ｎはコードワードの数を示す。そして２つのコードワードが用いられる場合、Ｎは２と表される。＜数学式２６＞でＰＭＡＸは、端末の該当ｃｌａｓｓで最大伝送電力であり、
【数７３】
0005522865.tif 000074
は、サブフレームｉで端末の伝送電力を示す。そして＜数学式２１＞によって端末は最大伝送電力ＰＭＡＸと伝送電力
【数７４】
0005522865.tif 000075
とを比較して、両値のうち小さい値を伝送する。
【０１３４】
また、＜数学式２６＞で
【数７５】
0005522865.tif 000076
で表され、コードワードの数が２つの場合はＮ＝２と表される。
【０１３５】
また、ｎ＝０の場合はＣＷ＃１、ｎ＝１の場合はＣＷ＃２を示す。ここでＣＷ＃１とＣＷ＃２に関する伝送電力を割り当てるために、先ずＰＵＳＣＨの全伝送電力は、ｌｉｎｅａｒ  ｓｃａｌｅで＜数学式２７＞のように表される。
【０１３６】
【数７６】
0005522865.tif 000077
【０１３７】
ここでＣＷ＃１とＣＷ＃２との間の伝送電力比ｒは、ｌｉｎｅａｒ  ｓｃａｌｅで＜数学式２８＞のように表される。
【０１３８】
【数７７】
0005522865.tif 000078
【０１３９】
そして＜数学式２７＞と＜数学式２８＞から算出されたＣＷ＃１のｌｉｎｅａｒ  ｓｃａｌｅでの伝送電力Ｐｌｉｎｅａｒ（０）とＣＷ＃２のｌｉｎｅａｒ  ｓｃａｌｅでの伝送電力は、＜数学式２９＞のように表される。
【０１４０】
【数７８】
0005522865.tif 000079
【０１４１】
次に、最後に端末は、それぞれのコードワードのためのレイヤ伝送電力を求めるために、コードワード当たりの伝送電力をＬ（ｎ）で分ける。
【０１４２】
実施例１から実施例１１では、それぞれのコードワードに対する伝送電力の割り当てに関する方法について説明した。また、実施例１から実施例１１では、干渉量の調節または、送信電力を高めるために、２つのコードワードに共通適用されるオフセットパラメータ（ｏｆｆｓｅｔ  ｐａｒａｍｅｔｅｒ）または、２つのコードワードの各々に適用されるオフセットパラメータを用いる方法を共に説明した。そして実施例１から実施例１１により、コードワードの数の増加によるＴＰＣパラメータ（ＴＰＣ  ｐａｒａｍｅｔｅｒ）の範囲が調節される方法について説明した。
【０１４３】
また、実施例１２ではそれぞれのコードワードに対する伝送電力割当方法について説明し、この実施例に基づいてそれぞれのコードワード別に伝送電力を割り当てる方法に、先に説明したオフセットパラメータ（ｏｆｆｓｅｔ  ｐａｒａｍｅｔｅｒ）やＴＰＣパラメータ（ＴＰＣ  ｐａｒａｍｅｔｅｒ）の範囲の調節方法が共に適用されてもよい。
【０１４４】
＜実施例１３＞
上述した様々な実施例のように、Ｋｓ＝０の場合とＫｓ＝１．２５の場合によりＣＷ＃１とＣＷ＃２に対する伝送電力制御方法が異なるように行われる。また、記述した様々な実施例においてＫｓ＝０とＫｓ＝１．２５の場合を基準として、全伝送電力に関する選択的組み合わせが可能である。
【０１４５】
実施例１３では、Ｋｓ値以外に、シグナリングされたパラメータΩによりＣＷ＃１とＣＷ＃２の全伝送電力に関する選択的組み合わせについて説明する。
【０１４６】
先ず、基地局から端末にΩ＝０をシグナリングした場合、端末は、＜数学式３０＞を用いて伝送電力を算出してもよい。ここで、＜数学式３０＞で用いられたＣＷ＃１とＣＷ＃２のそれぞれの伝送電力は、＜数学式３１＞のような数学式により算出されてもよい。
【０１４７】
＜数学式３１＞のそれぞれのコードワードに対する伝送電力の誘導式において、Ｋｓ＝０の場合はΔＴＦ（ｉ，ＣＷ＃１）＝０，ΔＴＦ（ｉ，ＣＷ＃２）＝０であり、Ｋｓ＝１．２５の場合は＜数学式７＞で説明したように各コードワードのＴＢＳを考慮してΔＴＦ（ｉ，ＣＷ＃１）とΔＴＦ（ｉ，ＣＷ＃２）とを求める。次に、＜数学式３０＞の全伝送電力
【数７９】
0005522865.tif 000080
と最大伝送電力ＰＣＭＡＸのうち最小値が伝送される。
【０１４８】
【数８０】
0005522865.tif 000081
【０１４９】
【数８１】
0005522865.tif 000082
【０１５０】
次に、基地局から端末にΩ＝１をシグナリングした場合、＜数学式３２＞で表された伝送電力を用いる。つまり、端末に割り当てられたコードワードの数が１つから２つに増加すると、端末の全伝送電力が二倍に増加することを防ぐために、端末の全伝送電力は＜数学式３１＞から誘導されたＣＷ＃１とＣＷ＃２の伝送電力の和［ｄＢｍ］からＸ［ｄＢｍ］だけを引いた値で算出される。ここでＸ［ｄＢｍ］値は、基地局で設定可能な値で端末にシグナリングされる。また、＜数学式３２＞でＣＷ＃１とＣＷ＃２の伝送電力の和の半分を伝送電力として選択しようとすると、Ｘ［ｄＢｍ］値をＸ＝３［ｄＢｍ］と設定する。
【０１５１】
＜数学式３１＞のそれぞれのコードワードに対する伝送電力の誘導式においてＫｓ＝０の場合はΔＴＦ（ｉ，ＣＷ＃１）＝０，ΔＴＦ（ｉ，ＣＷ＃２）＝０であり、Ｋｓ＝１．２５の場合は＜数学式７＞で説明したように各コードワードのＴＢＳを考慮してΔＴＦ（ｉ，ＣＷ＃１）とΔＴＦ（ｉ，ＣＷ＃２）とを求める。また、＜数学式３２＞の全伝送電力
【数８２】
0005522865.tif 000083
と最大伝送電力ＰＣＭＡＸ値のうち最小値が伝送される。
【０１５２】
【数８３】
0005522865.tif 000084
【０１５３】
＜実施例１４＞
実施例１４では、ＵＬ（Ｕｐ−Ｌｉｎｋ）  ＭＵ（ｍｕｌｔｉ  ｕｓｅｒ）−ＭＩＭＯ（Ｍｕｌｔｉｐｌｅ−Ｉｎｐｕｔ  Ｍｕｌｔｉｐｌｅ−Ｏｕｔｐｕｔ）で端末に割り当てられたレイヤの数により変わる端末の伝送電力について説明する。
【０１５４】
図１４は、本発明の実施例に係るＭＵ−ＭＩＭＯで端末に割り当てられるレイヤ別の伝送電力を示す図である。
【０１５５】
図１４に示すように、ケース１  １４０１のＭＵ−ＭＩＭＯで端末Ａは、１つのレイヤ（Ｌａｙｅｒ＃１  １４０４）が割り当えられ、その伝送電力はＰＡと表される。端末Ｂは、３つのレイヤ（Ｌａｙｅｒ＃２  １４０５、Ｌａｙｅｒ＃３  １４０６、Ｌａｙｅｒ＃４  １４０７）が割り当てられ、各レイヤの伝送電力は各々ＰＢとする。各レイヤに割り当てられたシンボルが通過するチャネルがすべて同一であれば、各レイヤ別に基地局受信機の観点で、信号対干渉雑音比（ＳＩＮＲ；Ｓｉｇｎａｌ  ｔｏ  Ｉｎｔｅｒｆｅｒｅｎｃｅ  Ｒａｔｉｏ）は、＜数学式３３＞のように表される。
【０１５６】
【数８４】
0005522865.tif 000085
【０１５７】
もし端末Ａの全伝送電力のＰＡが端末Ｂの全伝送電力の和の３ＰＢと同一であれば、基地局受信機の観点で、端末Ａに割り当てられたＬａｙｅｒ＃１のＳＩＮＲよりも端末Ｂに割り当てられたＬａｙｅｒ＃２、３、４のＳＩＮＲが低いということを意味する。
【０１５８】
ケース２  １４０２のＭＵ−ＭＩＭＯで端末Ａは２つのレイヤ（Ｌａｙｅｒ＃１  １４０８とＬａｙｅｒ＃２  １４０９）が割り当てられ、端末Ｂは２つのレイヤ（Ｌａｙｅｒ＃３  １４１０とＬａｙｅｒ＃４  １４１１）が割り当てられたとする。もし、各レイヤが通過するチャネルがすべて同一であれば、各レイヤ別に基地局で受信するＳＩＮＲは＜数学式３４＞のように表される。
【０１５９】
【数８５】
0005522865.tif 000086
【０１６０】
もし、端末Ａの全伝送電力の和の２ＰＡが端末Ｂの全伝送電力の和の２ＰＢと同一であれば、基地局受信機の観点で、端末Ａに割り当てされたＬａｙｅｒ＃１とＬａｙｅｒ＃２のそれぞれのＳＩＮＲと端末Ｂに割り当てされたＬａｙｅｒ＃３とＬａｙｅｒ＃４のＳＩＮＲのそれぞれが同一であることを意味する。
【０１６１】
ケース（Ｃａｓｅ）３  １４０３のＭＵ−ＭＩＭＯで端末Ａは３つのレイヤ（Ｌａｙｅｒ＃１  １４１２、Ｌａｙｅｒ＃２  １４１３、Ｌａｙｅｒ＃３  １４１４）が割り当てられ、端末Ｂは１つのレイヤ（Ｌａｙｅｒ＃４  １４１５）が割り当てられたとする。各レイヤを通過するチャネルがすべて同一であれば、基地局受信機の観点で、各レイヤ別にＳＩＮＲは＜数学式３５＞のように表される。
【０１６２】
【数８６】
0005522865.tif 000087
【０１６３】
もし端末Ｂの全伝送電力のＰＢが端末Ａの全伝送電力の和の３ＰＡと同一であれば、＜数学式３６＞で見られるように、基地局受信機の観点で、端末Ｂに割り当てされたＬａｙｅｒ＃４のＳＩＮＲよりも端末Ａに割り当てされたＬａｙｅｒ＃１、２、３のＳＩＮＲが低いということを意味する。
【０１６４】
もし、互いに近接した位置にある端末Ａと端末Ｂは同じＲＢ（ｒｅｓｏｕｒｃｅ  ｂｌｏｃｋ）が割り当てられ、同じＭＣＳ（Ｍｏｄｕｌａｔｉｏｎ  ａｎｄ  Ｃｏｄｉｎｇ  Ｓｃｈｅｍｅ）が割り当てられ、端末Ａと端末Ｂの全伝送電力を同じに設定することになり、各端末ごとにレイヤの数が変わると、基地局受信機の観点で、各レイヤの受信ＳＩＮＲは、＜数学式３３＞と＜数学式３６＞でのように大きな差が生じることになる。
【０１６５】
【数８７】
0005522865.tif 000088
【０１６６】
上記のように、ＭＵ−ＭＩＭＯで各レイヤの受信ＳＩＮＲに大きな差がある問題を解決するために、換言すれば、基地局受信機の観点で、各レイヤの受信ＳＩＮＲを均等にするために、＜数学式３７＞でのように端末の伝送電力を算出する。ここで、レイヤ（ランク）の数によるオフセット値Ｘｒａｎｋ（ｉ）を考慮して伝送電力が算出される。
【０１６７】
【数８８】
0005522865.tif 000089
【０１６８】
【数８９】
0005522865.tif 000090
【０１６９】
＜数学式３７＞のΔＴＦ（ｉ）は、２つのＣＷが考慮される場合、＜数学式２０＞、＜数学式２１＞、＜数学式２２＞、＜数学式２３＞のいずれか１つの数学式で算出することができる。＜数学式３８＞で、
【数９０】
0005522865.tif 000091
は、２つのＣＷ＃１とＣＷ＃２に対するＭＰＲ（Ｍｕｌｔｉ  Ｐｏｉｎｔ  Ｒｅｌａｙ）の最大、最小、平均、和などの演算によって得られる。
【０１７０】
互いに近接した位置にある端末Ａと端末Ｂとは同じＲＢ（ｒｅｓｏｕｒｃｅ  ｂｌｏｃｋ）が割り当てられ、同じＭＣＳが割り当てられる場合、各端末の全伝送電力にレイヤの数によるオフセット値Ｘｒａｎｋ（ｉ）が追加される。＜表１＞で見られるように、割り当てられたレイヤ数（ランク）が増加するほどオフセット値Ｘｒａｎｋ（ｉ）も増加する。
【０１７１】
【表１】
0005522865.tif 000092
【０１７２】
＜表１＞によると、端末に割り当てられたレイヤが１つの場合、Ｘｒａｎｋ（ｉ）＝０ｄＢｍであり、割り当てられたレイヤが２つに増加する場合、Ｘｒａｎｋ（ｉ）＝３ｄＢｍが端末の全伝送電力に追加される。また、レイヤが３つに増加する場合は４．７７ｄＢｍが、レイヤが４つに増加する場合は６ｄＢｍが端末の全伝送電力に追加される。
【０１７３】
または、＜表１＞の代わりに＜数学式３９＞のようにレイヤ（ｒａｎｋ：ランク）の数により一定の電力値δを与えてもよい。すなわち、＜数学式３９＞で割り当てられたレイヤ（ｒａｎｋ：ランク）が１であれば、Ｘｒａｎｋ（ｉ）＝０であり、レイヤ（ｒａｎｋ：ランク）が２であればＸｒａｎｋ（ｉ）＝δ、レイヤ（ｒａｎｋ：ランク）が３であればＸｒａｎｋ（ｉ）＝２δ、レイヤ（ｒａｎｋ：ランク）が４であればＸｒａｎｋ（ｉ）＝３δの電力値が割り当てられる。
【０１７４】
【数９１】
0005522865.tif 000093
【０１７５】
以上で説明したように、ＭＵ−ＭＩＭＯで各端末の伝送電力は、レイヤの数に比例して設定される。
【０１７６】
図１５は、本発明の他の実施例に係るＭＵ−ＭＩＭＯで端末に割り当てられるレイヤ別の伝送電力を示す図である。
【０１７７】
＜数学式３７＞が適用される例のために、図１５で見られるように、ケース１  １５０１のＭＵ−ＭＩＭＯで、端末Ａは１つのレイヤ（Ｌａｙｅｒ＃１  １５０４）が割り当てられ、その伝送電力をＰＡとする。また、端末Ｂは３つのレイヤ（Ｌａｙｅｒ＃２  １５０５、Ｌａｙｅｒ＃３  １５０６、Ｌａｙｅｒ＃４  １５０７）が割り当てられ、各Ｌａｙｅｒ＃２  １５０５、Ｌａｙｅｒ＃３  １５０６、Ｌａｙｅｒ＃４  １５０７の伝送電力を各々ＰＢとする。さらに、各レイヤを通過するチャネルがすべて同一であるとする場合、各レイヤ別に基地局受信機の観点で、ＳＩＮＲは＜数学式４０＞のように表される。
【０１７８】
【数９２】
0005522865.tif 000094
【０１７９】
もし、互いに近接した位置にある端末Ａと端末Ｂは同じリソース（ｒｅｓｏｕｒｃｅ）が割り当てられ、同じＭＣＳが割り当てられた場合、＜数学式３７＞で見られるオフセット値Ｘｒａｎｋ（ｉ）が利用されると、端末ＡのＬａｙｅｒ＃１  １５０４の伝送電力は、端末Ｂの各Ｌａｙｅｒ＃２  １５０５、Ｌａｙｅｒ＃３  １５０６、Ｌａｙｅｒ＃４  １５０７の伝送電力と同様に表される。換言すれば、端末Ａの伝送電力のＰＡは、端末Ｂの伝送電力ＰＢと同一である。さらに、＜表１＞を参考して３つのレイヤを用いるオフセット値の４．７７ｄＢｍにより増加した端末の伝送電力は、端末Ｂに割り当てられた３つのレイヤに均等に割り当てられる。結局、基地局受信機の観点で、端末Ａに割り当てられたＬａｙｅｒ＃１のＳＩＮＲは、端末Ｂに割り当てられたＬａｙｅｒ＃２、３、４のＳＩＮＲと同一である。
【０１８０】
ケース２  １５０２のＭＵ−ＭＩＭＯでは、端末ＡがＬａｙｅｒ＃１  １５０８とＬａｙｅｒ＃２  １５０９を割り当てられ、端末ＢがＬａｙｅｒ＃３  １５１０とＬａｙｅｒ＃４  １５１１を割り当てられたとする。各レイヤを通過するチャネルがすべて同一の場合、各レイヤ別に基地局受信機の観点で、ＳＩＮＲは＜数学式４１＞のように表される。
【０１８１】
【数９３】
0005522865.tif 000095
【０１８２】
もし、端末Ａの各レイヤの伝送電力のＰＡが端末Ｂの各レイヤの伝送電力のＰＢと同一であれば、基地局受信機の観点で、端末Ａに割り当てられたＬａｙｅｒ＃１とＬａｙｅｒ＃２の各ＳＩＮＲと、端末Ｂに割り当てられたＬａｙｅｒ＃３とＬａｙｅｒ＃４のＳＩＮＲとが同一である。
【０１８３】
ケース３  １５０３のＭＵ−ＭＩＭＯで、端末ＡがＬａｙｅｒ＃１  １５１２、Ｌａｙｅｒ＃２  １５１３、Ｌａｙｅｒ＃３  １５１４を割り当てられ、端末ＢがＬａｙｅｒ＃４  １５１５を割り当てられたとする。各レイヤを通過するチャネルがすべて同一であるとすると、各レイヤ別に基地局で受信するＳＩＮＲは、＜数学式４２＞のように表される。
【０１８４】
【数９４】
0005522865.tif 000096
【０１８５】
もし、互いに近接した位置にある端末Ａと端末Ｂは同じリソース（ｒｅｓｏｕｒｃｅ）が割り当てられ、同じＭＣＳが割り当てられた場合、＜数学式３７＞で見られるオフセット値を用いて端末Ａの各Ｌａｙｅｒ＃１  １５１２、Ｌａｙｅｒ＃２  １５１３、Ｌａｙｅｒ＃３  １５１４の伝送電力のＰＡが、端末ＢのＬａｙｅｒ＃４  １５１５の伝送電力のＰＢと同一であれば、＜数学式４３＞で見られるように基地局受信機の観点で、端末Ｂに割り当てられたＬａｙｅｒ＃４のＳＩＮＲと、端末Ａに割り当てられたＬａｙｅｒ＃１、２、３のＳＩＮＲは、同一である。
【０１８６】
【数９５】
0005522865.tif 000097
【０１８７】
上記のＭＵ−ＭＩＭＯでレイヤの数によるオフセット値を考慮する電力割当方式に基づいて、基地局は、端末がＳＵ（Ｓｉｎｇｌｅ  Ｕｓｅｒ）−ＭＩＭＯとＭＵ−ＭＩＭＯモードにより異なる電力制御方法を用いるように設定する。すなわち、端末がＳＵ−ＭＩＭＯモードの場合、基地局は、端末の電力割り当てが実施例１ないし実施例１３で説明した端末の全伝送電力に関する方式に従うようにする。また、端末がＭＵ−ＭＩＭＯモードの場合、基地局は、端末の電力制御が実施例１４で説明したレイヤの数によるオフセット値を考慮して端末の全伝送電力が算出されるように設定する。
【０１８８】
以上では、本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも本発明の技術的思想に基づいた別の変形例が実施可能であることは、本発明が属する技術の分野における通常の知識を有する者には自明である。
【符号の説明】
【０１８９】
２０１    コードワードＣＷ＃１
２０２    コードワードＣＷ＃２
２０３    利得
２０４    利得
２０５    ＣＷ  ｔｏ  Ｌａｙｅｒ  Ｍａｐｐｅｒ
２０６    Ｌａｙｅｒ  ｔｏ  Ａｎｔｅｎｎａ  Ｍａｐｐｅｒ
２１５，２１６，２１７，２１８    アンテナ
【図１】
0005522865.tif 000100
【図２】
0005522865.tif 000101
【図３】
0005522865.tif 000102
【図４】
0005522865.tif 000103
【図５】
0005522865.tif 000104
【図６】
0005522865.tif 000105
【図７】
0005522865.tif 000106
【図８】
0005522865.tif 000107
【図９】
0005522865.tif 000108
【図１０】
0005522865.tif 000109
【図１１】
0005522865.tif 000110
【図１２】
0005522865.tif 000111
【図１３】
0005522865.tif 000112
【図１４】
0005522865.tif 000113
【図１５】
0005522865.tif 000114